(57)【要約】【課題】複数の通信端末が複数の仮想ＳＩＭカードを使用する場合に、複数の通信端末全体として通信回線の使用料を軽減する。【解決手段】割り当てられている仮想ＳＩＭカードに応じた条件で通信を行う複数の通信端末を対象として、複数の通信端末のそれぞれに割り当てる仮想ＳＩＭカードを管理するＳＩＭ管理装置であって、要求受信部と、選択部と、送信部と、を備える。要求受信部は、通信端末から、仮想ＳＩＭカードの割当て要求を受信する。選択部は、要求受信部により割当て要求が受信された場合に、複数の仮想ＳＩＭカードの中から、割当て要求の要求元の通信端末である要求元端末に割り当てるべき仮想ＳＩＭカードを選択する。送信部は、選択部により選択された仮想ＳＩＭカードを通信端末に割り当てるための仮想ＳＩＭデータを、要求元端末に送信する。【選択図】図６
2018078411.tif 000002
【特許請求の範囲】
【請求項１】
割り当てられている仮想ＳＩＭカードに応じた条件で通信を行う複数の通信端末を対象として、前記複数の通信端末のそれぞれに割り当てる前記仮想ＳＩＭカードを管理するＳＩＭ管理装置（１７）であって、
前記通信端末から、前記仮想ＳＩＭカードの割当て要求を受信する要求受信部（Ｓ１０３）と、
前記要求受信部により前記割当て要求が受信された場合に、複数の前記仮想ＳＩＭカードの中から、前記割当て要求の要求元の前記通信端末である要求元端末に割り当てるべき前記仮想ＳＩＭカードを選択する選択部（Ｓ４０７，Ｓ７１０）と、
前記選択部により選択された前記仮想ＳＩＭカードを前記通信端末に割り当てるための仮想ＳＩＭデータを、前記要求元端末に送信する送信部（Ｓ１０６）と、
を備えるＳＩＭ管理装置。
【請求項２】
請求項１に記載のＳＩＭ管理装置であって、
前記要求受信部により前記割当て要求が受信された場合に、前記要求元端末の使用履歴を取得する履歴取得部（Ｓ３０２）と、
前記使用履歴に基づき、前記要求元端末が通信に使用されると予測される時間である予測使用時間を算出する算出部（Ｓ３０３，Ｓ３０４，Ｓ４０２）と、
を更に備え、
前記選択部は、前記算出部により算出された前記予測使用時間に基づき、前記仮想ＳＩＭカードを選択する、ＳＩＭ管理装置。
【請求項３】
請求項２に記載のＳＩＭ管理装置であって、
前記使用履歴には、前記通信端末が通信に使用された曜日ごとの時間である曜日使用時間が含まれ、
前記算出部は、所定期間における前記曜日使用時間の平均値に基づき、前記予測使用時間を曜日ごとに算出する、ＳＩＭ管理装置。
【請求項４】
請求項１から請求項３までのいずれか１項に記載のＳＩＭ管理装置であって、
前記複数の仮想ＳＩＭカードのそれぞれは、使用可能なデータ通信量が決められており、前記データ通信量は、当該仮想ＳＩＭカードが通信に使用される度に減少し、
前記選択部は、前記複数の仮想ＳＩＭカードの中から、前記データ通信量の残量である未使用データ通信量が最大である前記仮想ＳＩＭカードを選択する、ＳＩＭ管理装置。
【請求項５】
請求項４に記載のＳＩＭ管理装置であって、
前記選択部は、前記要求元端末の種別が特定の種別である場合に、前記未使用データ通信量が最大である前記仮想ＳＩＭカードを選択する、ＳＩＭ管理装置。
【請求項６】
請求項１から請求項５までのいずれか１項に記載のＳＩＭ管理装置であって、
前記要求元端末が通信を行わない状態であるかを判定する通信判定部（Ｓ５０２，Ｓ５０３）と、
前記通信判定部により前記要求元端末が通信を行わない状態であると判定された場合に、前記要求元端末に前記仮想ＳＩＭカードが割り当てられている状態を解除する解除部（Ｓ５０４）と、
を更に備えるＳＩＭ管理装置。
【請求項７】
請求項１から請求項６までのいずれか１項に記載のＳＩＭ管理装置であって、
前記通信端末には、前記割当て要求を前記ＳＩＭ管理装置に送信する際に使用される前記仮想ＳＩＭカードである初期仮想ＳＩＭカードとして当該通信端末の種別に応じた前記仮想ＳＩＭカードが割り当てられ、
前記要求受信部は、前記初期仮想ＳＩＭカードを使用して送信された前記割当て要求を前記通信端末から受信する、ＳＩＭ管理装置。
【請求項８】
請求項１から請求項７までのいずれか１項に記載のＳＩＭ管理装置であって、
前記複数の通信端末のそれぞれから、所定期間における当該通信端末が通信に使用される時間である期間使用時間を取得する使用時間取得部（Ｓ６０１）と、
前記複数の通信端末の前記期間使用時間を加算する加算部（Ｓ６０２）と、
前記加算部による加算値の間通信が行われた場合の通信量に基づき、前記要求元端末に割り当てる候補となる前記複数の仮想ＳＩＭカードの数を決定する決定部（Ｓ６０３）と、
を更に備えるＳＩＭ管理装置。
【請求項９】
請求項１から請求項８までのいずれか１項に記載のＳＩＭ管理装置であって、
前記通信端末から、当該通信端末が前記仮想ＳＩＭカードを使用して行おうとしている通信のデータ通信量を表す情報である通信情報を受信する通信情報受信部（Ｓ７０９）を更に備え、
前記選択部は、前記通信情報に基づき、前記仮想ＳＩＭカードを選択する、ＳＩＭ管理装置。
【発明の詳細な説明】
【技術分野】
【０００１】
本開示は、ＳＩＭ管理装置に関する。
【背景技術】
【０００２】
通信事業者と契約することにより通信可能となる通信端末には、ＳＩＭカードと呼ばれるＩＣカードが一般に内蔵されている。ＳＩＭとは、Subscriber Identity Moduleの略である。ＳＩＭカードには、ユーザを特定するためのＩＤ番号等の情報などが記憶されている。通信端末に内蔵されているＳＩＭカードを交換することで、通信の条件を変更できる。ユーザは、複数のＳＩＭカードを所持することで、状況に応じてＳＩＭカードを使い分けることができる。しかしながら、ＳＩＭカードを使い分けるには、物理的なカードの交換作業が必要となり、煩雑であった。
【０００３】
そこで、仮想ＳＩＭカードが提唱されている。仮想ＳＩＭカードでは、通信端末は、通常のＳＩＭカードに記憶されるべきデータを記憶可能なメモリを備え、当該データを受信してメモリに書き込むことで、受信したデータに応じた条件での通信が可能となる。つまり、メモリに記憶されたデータを書き変えることで通信の条件が変更されるため、物理的なカードの交換作業を省略することができる。
【０００４】
特許文献１には、仮想ＳＩＭカードに関する発明が開示されている。具体的には、特許文献１には、ある通信端末の仮想ＳＩＭカードを他の仮想ＳＩＭカードにいつ交換すべきかを示すシステムが開示されている。詳細には、ユーザが、仮想ＳＩＭサービス契約を望む領域、その領域のための可能な仮想ＳＩＭカードを提供するプロバイダのリスト、仮想ＳＩＭサービス契約オプション等を選択することにより、ユーザが状況に応じた仮想ＳＩＭカードを選択可能となる。これにより、通信回線の使用料の軽減を図ることができる。
【先行技術文献】
【特許文献】
【０００５】
【特許文献１】特表２０１３−５１９２４８号公報
【発明の概要】
【発明が解決しようとする課題】
【０００６】
しかしながら、特許文献１では、ある通信端末による通信回線の使用料を軽減する仕組みについてしか考慮されていない。このため、複数の通信端末が複数の仮想ＳＩＭカードを使用する場合において複数の通信端末全体として通信回線の使用料を軽減する仕組みについては考慮されていない。
【０００７】
本開示は、複数の通信端末が複数の仮想ＳＩＭカードを使用する場合に、複数の通信端末全体として通信回線の使用料を軽減することを目的とする。
【課題を解決するための手段】
【０００８】
本開示の一態様は、割り当てられている仮想ＳＩＭカードに応じた条件で通信を行う複数の通信端末を対象として、複数の通信端末のそれぞれに割り当てる仮想ＳＩＭカードを管理するＳＩＭ管理装置（１７）であって、要求受信部（Ｓ１０３）と、選択部（Ｓ４０７，Ｓ７１０）と、送信部（Ｓ１０６）と、を備える。要求受信部は、通信端末から、仮想ＳＩＭカードの割当て要求を受信する。選択部は、要求受信部により割当て要求が受信された場合に、複数の仮想ＳＩＭカードの中から、割当て要求の要求元の通信端末である要求元端末に割り当てるべき仮想ＳＩＭカードを選択する。送信部は、選択部により選択された仮想ＳＩＭカードを通信端末に割り当てるための仮想ＳＩＭデータを、要求元端末に送信する。
【０００９】
このような構成によれば、複数の通信端末で複数の仮想ＳＩＭカードを共有しつつ、通信端末から割当て要求が送信された場合に、複数の仮想ＳＩＭカードの中から選択された仮想ＳＩＭカードが要求元端末に割り当てられる。したがって、複数の通信端末が複数の仮想ＳＩＭカードを使用する場合に、複数の通信端末全体として通信回線の使用料を軽減することができる。
【００１０】
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１１】
【図１】ＳＩＭ管理システムの構成を示す図である。
【図２】登録車両ＤＢに記憶されている各種データを説明する図である。
【図３】使用履歴ＤＢに記憶されている各種データを説明する図である。
【図４】使用予測ＤＢに記憶されている各種データを説明する図である。
【図５】使用状況ＤＢに記憶されている各種データを説明する図である。
【図６】車両のイグニッションスイッチがオンにされてから車両が仮想ＳＩＭカードに応じた条件で通信を開始するまでの流れを説明するフローチャートである。
【図７】初期仮想ＳＩＭカードの車両への割当てを説明するフローチャートである。
【図８】算出処理のフローチャートである。
【図９】選択処理のフローチャートである。
【図１０】解除処理のフローチャートである。
【図１１】決定処理のフローチャートである。
【図１２】イベント発生時における仮想ＳＩＭカードの割当ての概要を説明するための図である。
【図１３】イベント発生時における仮想ＳＩＭカードの割当ての詳細を説明するためのフローチャートである。
【発明を実施するための形態】
【００１２】
以下、図面を参照しながら、本開示を実施するための形態を説明する。
［１．構成］
図１に示すＳＩＭ管理システム１は、複数の車両１１と、ＳＩＭ管理サーバ１２と、通信ネットワーク１８と、を備える。ＳＩＭ管理サーバ１２は、登録車両ＤＢ１３と、使用履歴ＤＢ１４と、使用予測ＤＢ１５と、使用状況ＤＢ１６と、ＳＩＭ管理装置１７と、を備える。
【００１３】
ＳＩＭ管理システム１は、仮想ＳＩＭカードを用いて通信を行う複数の車両１１のそれぞれに割り当てる仮想ＳＩＭカードを管理するためのシステムである。具体的には、本実施形態では、以下の事項が前提とされる。すなわち、自社の通信回線を利用して車両１１のユーザに無線通信サービスを提供する通信事業者である第１種通信事業者と、第１種通信事業者の通信回線を借りて車両１１のユーザに無線通信サービスを提供する通信事業者である第２種通信事業者と、が想定される。第２種通信事業者は、仮想ＳＩＭカードを利用した無線通信サービスを提供可能であり、本実施形態では、車両１１のユーザは第２種通信事業者と契約することが想定される。第２種通信事業者は、複数の仮想ＳＩＭカードを複数の車両１１で共有して使用するプラン（以下、共有プラン）を提供する。第２種通信事業者は、車両１１のユーザから共有プランの契約があると、共有プランで使用される仮想ＳＩＭカードの数を決定する。そして、第２種通信事業者は、決定した仮想ＳＩＭカードの数に応じた通信回線の使用料を、第１種通信事業者に支払う。この使用料は、複数の車両１１で共有される仮想ＳＩＭカードの数が大きくなるほど高くなる。これに伴い、複数の車両１１で共有される仮想ＳＩＭカードの数が大きくなるほど、車両１１のユーザが第２種通信事業者に支払う通信回線の使用料も高くなる。ＳＩＭ管理システム１は、第２種通信事業者によって所持されるサーバであって、複数の車両１１で共有される仮想ＳＩＭカードの数を抑えることで、車両１１のユーザの費用を抑制することを目的とするものである。
【００１４】
一般には、車両１１の複数のグループが共有プランに加入していることが想定される。ＳＩＭ管理サーバ１２は、各グループにつき、当該グループに属している車両１１から仮想ＳＩＭカードの割当て要求があると、割当て要求の要求元の車両１１に、そのグループで共有されている複数の仮想ＳＩＭカードの中の１つの仮想ＳＩＭカードを選択し、割当て要求の要求元の車両１１に割り当てる。本実施形態では、１つの仮想ＳＩＭカードは、ある時点において１台の車両１１にのみ割り当てることができる。つまり、１つの仮想ＳＩＭカードは、複数の車両１１に同時に割り当てることはできない。なお、以下では、共有プランに加入している複数のグループの中の１つを例に取って説明する。
【００１５】
また、複数の車両１１で共有される複数の仮想ＳＩＭカードのそれぞれは、ある所定期間（例えば月ごと）において使用可能なデータ通信量であるデータ容量が決められている。データ通信量は、仮想ＳＩＭカードが通信に使用されると、使用されたデータ通信量の分だけ減少する。また、複数の仮想ＳＩＭカードはデータ容量のみが互いに相違し、通信速度等のその他の条件は同じである。
【００１６】
車両１１、具体的には、車両１１に搭載された通信端末は、ＳＩＭ管理サーバ１２によって割り当てられている仮想ＳＩＭカードに応じた条件で通信を行う。すなわち、車両１１は、仮想ＳＩＭデータを記憶可能なメモリを有する。ここでいう仮想ＳＩＭデータとは、仮想ＳＩＭカードを車両１１の通信端末に割り当てるためのデータであって、割り当てられる仮想ＳＩＭカードの通信の条件に対応したデータである。仮想ＳＩＭデータは、例えば、第２種通信事業者が通信端末を特定するためのＩＤ番号を含み得る。
【００１７】
車両１１は、通信ネットワーク１８を介してＳＩＭ管理サーバ１２から送信された仮想ＳＩＭデータをメモリに記憶することにより、仮想ＳＩＭカードに応じた条件での通信が可能となる。つまり、ＳＩＭ管理サーバ１２から送信された仮想ＳＩＭデータが車両１１のメモリに記憶されることにより、その仮想ＳＩＭデータに対応する仮想ＳＩＭカードが車両１１に割り当てられる。
【００１８】
車両１１は、仮想ＳＩＭカードが割り当てられると、車両情報をＳＩＭ管理サーバ１２に定期的に送信する。ここでいう車両情報とは、車両１１に搭載された各種センサによって取得される情報である。車両情報は、例えば、車両１１の現在位置の情報等である。また、車両１１は、仮想ＳＩＭカードの使用状況を表す情報をＳＩＭ管理サーバ１２に定期的に送信する。
【００１９】
登録車両ＤＢ１３には、共有プランに加入している全車両１１、つまり、登録された全車両１１のデータが記憶されている。以下では、登録車両ＤＢ１３に記憶されている各種データを「登録車両データ」という。
【００２０】
具体的には、図２に示すように、登録車両ＤＢ１３には、登録車両データとして車両１１のＩＤ、車両種別、主な使用時間帯及び使用頻度が記憶されている。本実施形態では、車両種別は、日勤のユーザによって用いられる通勤車、夜勤のユーザによって用いられる通勤車、商用車であるトラック、商用車であるタクシー、自家用車等、用途による分類である。主な使用時間帯は、例えば、朝、夕、夜、深夜、早朝、朝から夜、及び、勤務計画どおりの通勤時間帯、などである。使用頻度は、例えば、平日のみ使用、休日のみ使用といったものである。なお、登録車両データは、車両１１のユーザの申請により登録車両ＤＢ１３に記憶される。
【００２１】
使用履歴ＤＢ１４には、各車両１１に搭載された通信端末の使用履歴のデータである使用履歴データが記憶されている。具体的には、図３に示すように、使用履歴ＤＢ１４には、使用履歴データとして車両１１のＩＤ、車両種別、車両１１に搭載された通信端末が通信に使用された使用時間帯及び使用日が記憶されている。特に、通信端末が通信に使用された日の曜日も記憶されている。使用履歴データは、ＳＩＭ管理サーバ１２が車両１１の通信の状況を記憶することにより蓄積される。
【００２２】
使用予測ＤＢ１５には、各車両１１に搭載された通信端末の将来の使用に関するデータである使用予測データが記憶されている。この使用予測データは、各車両１１における仮想ＳＩＭカードの将来の使用に関するデータでもある。具体的には、図４に示すように、使用予測ＤＢ１５には、使用予測データとして車両１１のＩＤ、車両種別、予測使用時間帯及び使用頻度が記憶されている。予測使用時間帯とは、車両１１に搭載された通信端末が通信に使用されると予測される時間帯である。後述するように、使用予測データは、使用履歴ＤＢ１４に記憶された使用履歴データを基にＳＩＭ管理装置１７によって算出される。
【００２３】
使用状況ＤＢ１６には、車両１１に割り当てる候補となる複数の仮想ＳＩＭカードの使用状況のデータである使用状況データが記憶されている。具体的には、図５に示すように、使用状況ＤＢ１６には、使用状況データとして各仮想ＳＩＭカードに割り当てられた固有の番号、使用済みデータ通信量及び未使用データ通信量が記憶されている。ここでいう未使用データ通信量とは、データ容量Ｎ，Ｍから使用済みデータ通信量Ｘ，Ｙを差し引いた残量である。使用状況データは、車両１１から送信される、仮想ＳＩＭカードの使用状況を表す情報をＳＩＭ管理サーバ１２が受信することにより蓄積される。
【００２４】
ＳＩＭ管理装置１７は、ＣＰＵ、ＲＯＭ及びＲＡＭ等を構成要素とするマイクロコンピュータを備える。ＳＩＭ管理装置１７は、ＣＰＵがＲＯＭ等の非遷移的実体的記憶媒体に格納されているプログラムを実行する。このプログラムが実行されることで、プログラムに対応する方法が実行される。ＳＩＭ管理装置１７は、各種ＤＢ１３〜１６に記憶された各種データに基づき、後述する図８に示す算出処理及び図９に示す選択処理を実行することにより、割当て要求の要求元の車両１１に対して仮想ＳＩＭカードを割り当てる。ＳＩＭ管理装置１７は、後述する図１０に示す解除処理及び図１１に示す決定処理も実行する。
【００２５】
［２．処理］
［２−１．動作開始時フローチャート］
次に、車両１１のイグニッションスイッチがオンにされてから車両１１が仮想ＳＩＭカードに応じた条件で通信を開始するまでの流れを、図６のフローチャートを用いて説明する。
【００２６】
まず、Ｓ１０１で、車両１１のイグニッションスイッチがオンにされる。
続いて、Ｓ１０２で、車両１１は、仮想ＳＩＭカードの割当て要求をＳＩＭ管理サーバ１２に送信する。ここで、車両１１は、初期仮想ＳＩＭカードを用いて割当て要求を送信する。すなわち、本実施形態では、割当て要求がＳＩＭ管理サーバ１２に送信される際に使用される仮想ＳＩＭカードとして、所定の仮想ＳＩＭカードである初期仮想ＳＩＭカードが各車両１１にあらかじめ割り当てられている。この初期仮想ＳＩＭカードは、後述するように、ＳＩＭ管理サーバ１２によって割り当てられるものではなく、車両１１に接続可能な外部装置を用いて割り当てられる。
【００２７】
続いて、Ｓ１０３で、ＳＩＭ管理サーバ１２は、車両１１から割当て要求を受信する。
続いて、Ｓ１０４で、ＳＩＭ管理サーバ１２は、後述する図８に示す算出処理を実行することにより、割当て要求の要求元の車両１１である要求元車両１１による仮想ＳＩＭカードの予測使用時間を算出する。ここでいう予測使用時間とは、仮想ＳＩＭカードが通信に使用されると予測される時間である。
【００２８】
続いて、Ｓ１０５で、ＳＩＭ管理サーバ１２は、要求元車両１１に割り当てる候補となる複数の仮想ＳＩＭカードの中から、要求元車両１１に割り当てるべき仮想ＳＩＭカードを選択する。ＳＩＭ管理サーバ１２は、後述する図８に示す算出処理を実行することにより、仮想ＳＩＭカードを選択する。
【００２９】
続いて、Ｓ１０６で、ＳＩＭ管理サーバ１２は、Ｓ１０５で選択した仮想ＳＩＭカードの仮想ＳＩＭデータを、要求元車両１１に送信する。
続いて、Ｓ１０７で、要求元車両１１は、仮想ＳＩＭデータをＳＩＭ管理サーバ１２から受信する。そして、要求元車両１１は、受信した仮想ＳＩＭデータをメモリに記憶することにより、メモリ内の仮想ＳＩＭデータを更新する。これにより、仮想ＳＩＭカードが車両１１に割り当てられる。
【００３０】
続いて、Ｓ１０８で、要求元車両１１は、割り当てられた仮想ＳＩＭカードに応じた条件で通信を行い、車両情報の送信を開始する。
［２−２．初期仮想ＳＩＭ割当てフローチャート］
次に、初期仮想ＳＩＭカードの車両１１への割当てについて、図７のフローチャートを用いて説明する。なお、初期仮想ＳＩＭカードは、車両１１の出荷時に割り当てられることが想定される。
【００３１】
まず、Ｓ２０１で、車両１１に登録車両データが入力される。具体的には、車両１１の登録車両データを記憶した外部装置を車両１１に接続し、当該外部装置から車両１１に登録車両データが入力される。
【００３２】
続いて、Ｓ２０２で、車両１１は、入力された登録車両データの中から車両種別のデータを抽出する。
続いて、Ｓ２０３で、車両種別のデータに応じた仮想ＳＩＭカードが初期仮想ＳＩＭカードとして車両１１に割り当てられる。すなわち、本実施形態では、車両種別のデータが抽出されると、その車両種別に応じた仮想ＳＩＭカードの仮想ＳＩＭデータが自動的にメモリに書き込まれる機能が車両１１に搭載されている。具体的には、例えば、抽出された車両種別が自家用車である場合にはＮｏ．１の仮想ＳＩＭカードの仮想ＳＩＭデータがメモリに書き込まれ、抽出された車両種別が商用車であるトラックである場合にはＮｏ．２の仮想ＳＩＭカードの仮想ＳＩＭデータがメモリに書き込まれるように車両１１が設計されている。なお、本実施形態では、複数の初期仮想ＳＩＭカードは、データ容量のみが互いに異なり、その他の差異はない。
【００３３】
［２−３．算出処理］
次に、ＳＩＭ管理装置１７が実行する算出処理について、図８のフローチャートを用いて説明する。
【００３４】
まず、Ｓ３０１で、ＳＩＭ管理装置１７は、登録車両ＤＢ１３から登録車両データを取得する。
続いて、Ｓ３０２で、ＳＩＭ管理装置１７は、使用履歴ＤＢ１４から所定期間の使用履歴データを取得する。ここでいう所定期間は、以下の処理で算出される予測使用時間帯の精度を向上させるために長いほど良く、例えば１ヶ月程度である。
【００３５】
続いて、Ｓ３０３で、ＳＩＭ管理装置１７は、使用履歴データに含まれる使用時間帯を曜日ごとに平均する。
続いて、Ｓ３０４で、ＳＩＭ管理装置１７は、Ｓ３０３で算出された使用時間帯の平均を予測使用時間帯とする。
【００３６】
続いて、Ｓ３０５で、ＳＩＭ管理装置１７は、Ｓ３０１で取得した登録データから主な使用時間帯を抽出し、Ｓ３０４で得た予測使用時間帯が主な使用時間帯に含まれるか否かを判定する。
【００３７】
ＳＩＭ管理装置１７は、Ｓ３０５で予測使用時間帯が主な使用時間帯に含まれていないと判定した場合には、Ｓ３０６へ移行する。
Ｓ３０６で、ＳＩＭ管理装置１７は、Ｓ３０４で得た予測使用時間帯を登録車両ＤＢ１３に記憶することにより、登録車両ＤＢ１３内のデータを更新する。ＳＩＭ管理装置１７は、Ｓ３０６を実行すると、図８の算出処理を終了する。
【００３８】
一方、ＳＩＭ管理装置１７は、Ｓ３０５で予測使用時間帯が主な使用時間帯に含まれると判定した場合には、図８の算出処理を終了する。
［２−４．選択処理］
次に、ＳＩＭ管理装置１７が実行する選択処理について、図９のフローチャートを用いて説明する。
【００３９】
まず、Ｓ４０１で、ＳＩＭ管理装置１７は、要求元車両１１についての予測使用時間帯を使用予測ＤＢ１５から取得する。ここで、ＳＩＭ管理装置１７は、要求元車両１１から割当て要求があった日の曜日の予測使用時間帯を取得する。
【００４０】
続いて、Ｓ４０２で、ＳＩＭ管理装置１７は、取得した予測使用時間帯に基づき予測使用時間を算出する。ここでいう予測使用時間とは、車両１１に搭載された通信端末が通信に使用されると予測される時間であり、具体的には、予測使用時間帯の間使用された場合の使用時間である。例えば、予測使用時間帯が１９：００〜２１：００である場合には、予測使用時間は２時間である。
【００４１】
続いて、Ｓ４０３で、ＳＩＭ管理装置１７は、Ｓ４０３の実行時においていずれの車両１１にも割り当てられていない仮想ＳＩＭカードの使用状況を使用状況ＤＢ１６から取得する。
【００４２】
続いて、Ｓ４０４で、ＳＩＭ管理装置１７は、いずれの車両１１にも割り当てられていない仮想ＳＩＭカードの中から未使用データ通信量が最大の仮想ＳＩＭカードを抽出する。
【００４３】
続いて、Ｓ４０５で、ＳＩＭ管理装置１７は、抽出された仮想ＳＩＭカードのデータ通信量が予測通信量よりも小さいか否かを判定する。ここでいう予測通信量とは、予測使用時間の間通信が行われた場合のデータ通信量である。
【００４４】
ＳＩＭ管理装置１７は、Ｓ４０５で未使用データ通信量が予測通信量よりも小さいと判定した場合には、Ｓ４０６へ移行する。
Ｓ４０６で、ＳＩＭ管理装置１７は、使用されていない新規な仮想ＳＩＭカードを、要求元車両１１に割り当てる候補となる複数の仮想ＳＩＭカードに追加した後、Ｓ４０３に戻る。換言すれば、Ｓ４０６では、共有プランに加入しているグループ内で共有して使用可能な仮想ＳＩＭカードの数が増加される。なお、Ｓ４０６では、予測通信量よりも未使用データ通信量が大きい仮想ＳＩＭカードが追加されることが想定される。その結果、再度Ｓ４０５が実行された場合には、未使用データ通信量が予測通信量以上であると判定される。
【００４５】
一方、ＳＩＭ管理装置１７は、Ｓ４０５で未使用データ通信量が予測通信量以上であると判定した場合には、Ｓ４０７へ移行する。
Ｓ４０７で、ＳＩＭ管理装置１７は、Ｓ４０４で抽出した未使用データ通信量が最大の仮想ＳＩＭカードを、要求元車両１１に割り当てる仮想ＳＩＭカードとして選択した後、図９の処理を終了する。
【００４６】
［２−５．解除処理］
次に、ＳＩＭ管理装置１７が実行する解除処理について、図１０のフローチャートを用いて説明する。
【００４７】
まず、Ｓ５０１で、ＳＩＭ管理装置１７は、車両１１からイグニッションスイッチオフ情報を受信する。ここでいうイグニッションスイッチオフ情報とは、車両１１のイグニッションスイッチがオフになったことを表す情報である。本実施形態では、車両１１は、イグニッションスイッチがオフにされると、イグニッションスイッチオフ情報をＳＩＭ管理装置１７に送信するように設計されている。
【００４８】
続いて、Ｓ５０２で、ＳＩＭ管理装置１７は、イグニッションスイッチオフ情報を送信した車両１１から車両情報を受信しているか否かを判定する。すなわち、イグニッションスイッチがオフにされてもしばらくの間車両１１内で通信端末への電力の供給が継続される場合がある。その場合、イグニッションスイッチがオフにされても車両１１による通信が継続する。Ｓ５０２は、そのような通信を含めて、車両１１による通信が完全に止まったかを判定するために行われる。
【００４９】
ＳＩＭ管理装置１７は、Ｓ５０２で車両情報を受信していると判定した場合には、Ｓ５０２を再度実行する。
一方、ＳＩＭ管理装置１７は、Ｓ５０２で車両情報を受信していないと判定した場合には、Ｓ５０３へ移行する。
【００５０】
Ｓ５０３で、ＳＩＭ管理装置１７は、イグニッションスイッチオフ情報を受信してから所定時間経過したか否かを判定する。ＳＩＭ管理装置１７は、Ｓ５０３でイグニッションスイッチオフ情報を受信してから所定時間経過していないと判定した場合には、Ｓ５０２に戻る。
【００５１】
一方、ＳＩＭ管理装置１７は、Ｓ５０３でイグニッションスイッチオフ情報を受信してから所定時間経過したと判定した場合には、Ｓ５０４へ移行する。
Ｓ５０４で、ＳＩＭ管理装置１７は、仮想ＳＩＭカードが車両１１に割り当てられている状態を解除した後、図１０の解除処理を終了する。すなわち、前述したように、仮想ＳＩＭカードが車両１１に割り当てられている間は、その仮想ＳＩＭカードは他の車両１１に割り当てることができない。Ｓ５０４が実行されることにより、イグニッションスイッチオフ情報を送信した車両１１に割り当てられていた仮想ＳＩＭカードが他の車両１１に割当て可能な状態になる。また、本実施形態では、車両１１のイグニッションスイッチがオフになり、所定時間経過すると、車両１１のメモリ内の仮想ＳＩＭデータが、割り当てられていた仮想ＳＩＭカードの仮想ＳＩＭデータから初期仮想ＳＩＭカードの仮想ＳＩＭデータに書き変えられる。このようにして、ＳＩＭ管理サーバ１２によって車両１１に仮想ＳＩＭカードが割り当てられている状態が解除される。
【００５２】
［２−６．決定処理］
次に、ＳＩＭ管理装置１７が実行する決定処理について、図１１のフローチャートを用いて説明する。この決定処理は、複数の車両１１によって共有される仮想ＳＩＭカードの数を決定する処理である。なお、決定処理は、共有プランへの加入時、及び、共有プラン加入後のプラン内容を見直す時期（例えば１年ごと）、に実行されることが想定される。
【００５３】
まず、Ｓ６０１で、ＳＩＭ管理装置１７は、共有プランに加入したグループ内の全車両１１の登録車両データ又は使用履歴データを取得する。ここで、当該決定処理が共有プラン加入時において実行されたものである場合には、ＳＩＭ管理装置１７はグループ内の全車両１１の登録車両データを登録車両ＤＢ１３から取得する。一方、当該決定処理がプラン内容を見直す時期に実行されたものである場合には、ＳＩＭ管理装置１７は、所定の期間である規定期間における、グループ内の全車両１１の使用履歴データを使用履歴ＤＢ１４から取得する。ここでいう規定期間は、例えば、データ容量を規定する際に使用される期間（例えば１月）である。本実施形態では、この規定期間は、最も直近のものである。
【００５４】
続いて、Ｓ６０２で、ＳＩＭ管理装置１７は、規定期間におけるグループ内の全車両１１の仮想ＳＩＭカードの使用時間を加算する。具体的には、当該決定処理が共有プラン加入時において実行されたものである場合には、ＳＩＭ管理装置１７は登録車両データに含まれる主な使用時間帯の量を加算する。一方、当該決定処理がプラン内容を見直す時期に実行されたものである場合には、ＳＩＭ管理装置１７は使用履歴データに含まれる使用時間帯の量を加算する。なお、ある時間帯の量とは、その時間帯が例えば１９：００〜２１：００である場合には、２時間である。
【００５５】
続いて、Ｓ６０３で、ＳＩＭ管理装置１７は、Ｓ６０２の加算値に応じて、仮想ＳＩＭカードの数を決定する。具体的には、ＳＩＭ管理装置１７は、複数の仮想ＳＩＭカードの総データ容量がＳ６０２の加算値の間通信が行われた場合の通信量以上であって、かつ、最小になるように、車両１１によって共有される仮想ＳＩＭカードの数を決定する。
【００５６】
［２−７．イベント発生時における仮想ＳＩＭカードの割当て］
次に、車両１１のイグニッションスイッチがオンにされたとき以外の仮想ＳＩＭカードの割当て、具体的には、車両１１の故障などの異常事象であるイベントの発生時における仮想ＳＩＭカードの割当てについて説明する。
【００５７】
具体的には、次のような状況が想定される。すなわち、車両１１のイグニッションスイッチがオンにされ、上記手順で車両１１に仮想ＳＩＭカードが割り当てられる。その後、イベントが発生し、車両１１はイベントに関する情報を図１２に示すバックエンドサーバ１９に送信する。ここでいうバックエンドサーバ１９とは、イベントに関する情報を分析したり記憶したりするためのサーバである。
【００５８】
この例では、車両１１は、イベントが発生すると、まずはデータ通信量が小さい情報でイベントの要点だけをバックエンドサーバ１９に送信する。そして、バックエンドサーバ１９からの要求に応じて、車両１１は、データ通信量が大きい、イベントに関する詳細情報を送信する。また、イグニッションスイッチがオンにされたときに割り当てられる仮想ＳＩＭカードでは、イベントの詳細情報を送るにはデータ容量が少ないことが前提とされる。そのため、車両１１がイベントの詳細情報を送信する際には、イベント発生時専用のデータ容量が大きい仮想ＳＩＭカードが車両１１に割り当てられる。なお、イベント発生時専用の仮想ＳＩＭカードも複数あり、その中の１つが車両１１に割り当てられる。本実施形態では、これらの仮想ＳＩＭカードは、互いにデータ容量のみが相違する。
【００５９】
詳細には、イベント発生時には以下の手順で仮想ＳＩＭカードが割り当てられる。
（１）まず、車両１１はイベントを検出し、イベントを検出したことを表すイベント検出情報をバックエンドサーバ１９に送信する。イベント検出情報には、イベントの内容を表す大まかな情報が含まれる。具体的には例えば、イベントが車両１１の故障である場合、イベント検出情報にはエンジンが故障したなど故障の内容を大まかに表す情報が含まれる。また、イベント検出情報は、データ通信量が比較的小さい情報である。
（２）続いて、バックエンドサーバ１９は、受信したイベント検出情報の内容を分析した上で、イベントの詳細情報を当該バックエンドサーバ１９に送信させる旨の送信要求を、イベント検出情報を送信した車両１１（以下、送信元車両１１）に送信する。なお、送信要求には、車両１１に送信させる詳細情報の内容を特定する情報が含まれる。具体的には例えば、イベントが車両１１のエンジンの故障である場合、送信要求には、詳細情報としてエンジン及びその近傍の部品の状態を表す情報を送信させる旨の情報が含まれる。
（３）続いて、送信元車両１１は、バックエンドサーバ１９からの送信要求に基づき、送信すべき詳細情報のデータ通信量を算出する。そして、送信元車両１１は、仮想ＳＩＭカードの割当て要求と、算出した詳細情報のデータ通信量を表す情報である通信情報とを、ＳＩＭ管理サーバ１２に送信する。なお、この通信情報は、送信元車両１１が仮想ＳＩＭカードを使用して行おうとしている通信のデータ通信量を表す。
（４）続いて、ＳＩＭ管理サーバ１２は、割当て要求及び通信情報を受信する。そして、ＳＩＭ管理サーバ１２は、イベント発生時専用の仮想ＳＩＭカードの使用状況を取得し、取得した使用状況と受信した通信情報とに基づき、イベント発生時専用の複数の仮想ＳＩＭカードの中から通信情報が表す条件に適した仮想ＳＩＭカードを選択する。そして、ＳＩＭ管理サーバ１２は、選択した仮想ＳＩＭカードの仮想ＳＩＭデータを、イベント検出情報を送信した送信元車両１１に送信する。
【００６０】
次に、イベント発生時の仮想ＳＩＭカードの割当てを、図１３のフローチャートを用いて説明する。
Ｓ７０１で、車両１１は、イベントを検出する。
【００６１】
Ｓ７０２で、車両１１は、イベント検出情報をバックエンドサーバ１９に送信する。
Ｓ７０３で、バックエンドサーバ１９は、イベント検出情報を受信する。
Ｓ７０４で、バックエンドサーバ１９は、イベントの内容を分析する。
【００６２】
Ｓ７０５で、バックエンドサーバ１９は、送信要求を送信元車両１１に送信する。
Ｓ７０６で、送信元車両１１は、バックエンドサーバ１９から送信要求を受信する。
Ｓ７０７で、送信元車両１１は、送信すべき詳細情報のデータ通信量を算出する。
【００６３】
Ｓ７０８で、送信元車両１１は、割当て要求及び通信情報をＳＩＭ管理サーバ１２に送信する。
Ｓ７０９で、ＳＩＭ管理サーバ１２は、送信元車両１１から割当て要求及び通信情報を受信する。
【００６４】
Ｓ７１０で、送信元車両１１は、イベント発生時専用の複数の仮想ＳＩＭカードの使用状況を取得し、取得した使用状況と受信した通信情報とに基づき、イベント発生時専用の複数の仮想ＳＩＭカードの中から、通信情報が表す条件に適した仮想ＳＩＭカードを選択する。本実施形態では、ＳＩＭ管理サーバ１２は、イベント発生時専用の複数の仮想ＳＩＭカードの中から、未使用データ通信量が、通信情報が表すデータ通信量以上である仮想ＳＩＭカードを選択する。
【００６５】
Ｓ７１１で、送信元車両１１は、選択した仮想ＳＩＭカードの仮想ＳＩＭデータを送信元車両１１に送信する。
Ｓ７１２で、送信元車両１１は、受信した仮想ＳＩＭデータを当該車両１１のメモリに記憶することにより、メモリ内の仮想ＳＩＭデータを更新する。
【００６６】
Ｓ７１３で、送信元車両１１は、割り当てられた仮想ＳＩＭカードを使用して、バックエンドサーバ１９に対しイベントの詳細情報の送信を開始する。
［３．効果］
以上詳述した実施形態によれば、以下の効果が得られる。
【００６７】
（１）本実施形態では、ＳＩＭ管理装置１７は、車両１１から割当て要求を受信すると、自身が管理する複数の仮想ＳＩＭカードの中から、要求元車両１１に割り当てるべき仮想ＳＩＭカードを選択する。そして、ＳＩＭ管理装置１７は、選択した仮想ＳＩＭカードの仮想ＳＩＭデータを要求元車両１１に送信する。
【００６８】
したがって、複数の車両１１で複数の仮想ＳＩＭカードを共有しつつ、車両１１から割当て要求が送信された場合に、複数の仮想ＳＩＭカードの中から選択された仮想ＳＩＭカードが要求元車両１１に割り当てられる。このように複数の車両１１で複数の仮想ＳＩＭカードを共有するため、各車両１１が１つの仮想ＳＩＭカードを使用する場合と比較して、複数の車両１１全体で使用する仮想ＳＩＭカードの数を減らすことができる。よって、複数の車両１１が複数の仮想ＳＩＭカードを使用する場合に、複数の車両１１全体として通信回線の使用料を軽減することができる。
【００６９】
（２）本実施形態では、ＳＩＭ管理装置１７は、予測使用時間に基づき、要求元車両１１に割り当てる仮想ＳＩＭカードを選択する。より詳細には、ＳＩＭ管理装置１７は、予測使用時間に基づき算出される予測通信量と、未使用データ通信量と、の比較結果に基づき、要求元車両１１に割り当てる仮想ＳＩＭカードを選択する。
【００７０】
したがって、予測使用時間を算出せずに無作為に仮想ＳＩＭカードを選択する構成と比較して、各車両１１に割り当てられた仮想ＳＩＭカードの未使用データ通信量が通信の途中でゼロになり、通信が途絶する可能性を低減することができる。また、これに伴い、通信の途中で、車両１１に再度仮想ＳＩＭカードを割り当てる作業が発生することを抑制することができる。
【００７１】
（３）本実施形態では、ＳＩＭ管理装置１７は、使用時間帯を曜日ごとに平均して予測使用時間帯を算出し、算出した予測使用時間帯から予測使用時間を算出する。つまり、ＳＩＭ管理装置１７は、実質的に、曜日ごとの使用時間の平均値に基づき予測使用時間を算出する。一般に、曜日によって車両１１の使用状況が異なる。よって、曜日を考慮せず、すべての曜日の使用時間を加算し平均を取ることで予測使用時間を算出する構成と比較して、予測使用時間をより精度良く算出することができる。
【００７２】
（４）本実施形態では、ＳＩＭ管理装置１７は、複数の仮想ＳＩＭカードの中から、未使用データ通信量が最大である仮想ＳＩＭカードを選択する。したがって、未使用データ通信量が最大でない仮想ＳＩＭカードを要求元車両１１に割り当てる構成と比較して、通信の途中で未使用データ通信量がゼロになり、通信が途絶する可能性を低減することができる。特に、予測使用時間が実際の使用時間から多少ずれた場合であっても、通信が途絶する可能性を低減することができる。
【００７３】
（５）本実施形態では、ＳＩＭ管理装置１７は、車両１１から車両情報を受信しておらず、かつ、イグニッションスイッチオフ情報を受信してから所定時間経過したと判定した場合、換言すれば、車両１１が通信を行わない状態であると判定した場合に、車両１１に仮想ＳＩＭカードが割り当てられている状態を解除する。したがって、通信を行っていない車両１１によって仮想ＳＩＭカードが占有されている状態が続くことを抑制することができる。
【００７４】
（６）本実施形態では、車両１１には、初期仮想ＳＩＭカードとして当該車両１１の種別に応じた仮想ＳＩＭカードが割り当てられる。前述したとおり、初期仮想ＳＩＭカードの仮想ＳＩＭデータは、外部装置により車両１１に入力されたデータに応じて自動的にメモリに書き込まれるため、原理的には、異なる車両１１に同一の初期仮想ＳＩＭカードが割り当てられる場合がある。しかしながら、本実施形態のように車両１１の種別に応じて初期仮想ＳＩＭカードを割り当てることで、無作為に初期仮想ＳＩＭカードを各車両１１に割り当てる構成と比較して、異なる車両１１に同一の初期仮想ＳＩＭカードが割り当てられてしまうことを抑制することができる。
【００７５】
（７）本実施形態では、ＳＩＭ管理装置１７は、規定期間における、複数の車両１１に搭載された通信端末の使用時間を加算する。そして、ＳＩＭ管理装置１７は、その加算値の間通信が行われた場合の通信量に基づき、要求元車両１１に割り当てる候補となる複数の仮想ＳＩＭカードの数を決定する。したがって、複数の車両１１は、複数の仮想ＳＩＭカードを必要な数だけ共有することができる。よって、複数の車両１１全体として通信回線の使用料を抑制することができる。
【００７６】
（８）本実施形態では、ＳＩＭ管理装置１７は、複数の仮想ＳＩＭカードの未使用データ通信量のうち最大の未使用データ通信量が、予測通信量よりも少ないか否かを判定する。そして、最大の未使用データ通信量が予測通信量よりも少ないと判定した場合に、要求元車両１１に割り当てる候補となる複数の仮想ＳＩＭカードに、データ通信量が減少していない新規な仮想ＳＩＭカードを追加する。このような構成によれば、第２種通信事業者との契約時において必要な数だけ仮想ＳＩＭカードを確保し、その後、複数の車両１１で共有される仮想ＳＩＭカードの数を必要に応じて増やすことができる。したがって、仮想ＳＩＭカードを後で追加する必要がないように契約時に沢山の仮想ＳＩＭカードを確保する場合と比較して、仮想ＳＩＭカードの数、ひいては、通信回線の使用料を抑えることができる。
【００７７】
（９）本実施形態では、車両１１は、当該車両１１が行おうとしている通信のデータ通信量を表す通信情報をＳＩＭ管理サーバ１２に送信する。そして、ＳＩＭ管理サーバ１２は、受信した通信情報に基づき、仮想ＳＩＭカードを選択する。したがって、車両１１の使用履歴に基づき仮想ＳＩＭカードを選択する場合と比較して、ＳＩＭ管理装置１７が、車両１１が行おうとしている通信の条件をより精度良く把握することができる。よって、より適した仮想ＳＩＭカードを車両１１に割り当てることができる。
【００７８】
なお、本実施形態では、Ｓ１０３が要求受信部としての処理に相当し、Ｓ１０６が送信部としての処理に相当し、Ｓ３０２が履歴取得部としての処理に相当し、Ｓ３０３，Ｓ３０４及びＳ４０２としての処理に相当する。また、Ｓ４０７及びＳ７１０が選択部としての処理に相当し、Ｓ５０２及びＳ５０３が通信判定部としての処理に相当し、Ｓ５０４が解除部としての処理に相当し、Ｓ６０１が使用時間取得部としての処理に相当し、Ｓ６０２が加算部としての処理に相当する。また、Ｓ６０３が決定部としての処理に相当し、Ｓ７０９が通信情報受信部としての処理に相当する。
【００７９】
［４．他の実施形態］
以上、本開示を実施するための形態について説明したが、本開示は上述の実施形態に限定されることなく、種々変形して実施することができる。
【００８０】
（１）ＳＩＭ管理装置１７は、例えば、要求元車両１１に応じて仮想ＳＩＭカードを選択してもよい。この場合において例えば、ＳＩＭ管理装置１７は、要求元車両１１の車両種別に応じて未使用データ通信量が最大である仮想ＳＩＭカードを選択してもよい。つまり、ＳＩＭ管理装置１７は、要求元車両１１の車両種別がある特定の種別である場合には、未使用データ通信量が最大である仮想ＳＩＭカードを選択する。一方、要求元車両１１の車両種別が別の特定の種別である場合には、ＳＩＭ管理装置１７は、未使用データ通信量が最大である仮想ＳＩＭカードを選択しない。
【００８１】
具体的には例えば、貨物を遠方に運搬するトラックについては通信が長時間行われることが予想されるため、要求元車両１１の車両種別が上記トラックである場合には、未使用データ通信量が最大である仮想ＳＩＭカードが選択されてもよい。
【００８２】
このような構成によれば、以下の効果を奏する。すなわち、上記実施形態のように、車両１１の車両種別に応じずに未使用データ通信量が最大の仮想ＳＩＭカードが割り当てられる構成では、通信量が比較的少ない車両種別の車両１１に対しても未使用データ通信量が最大の仮想ＳＩＭカードが割り当てられる。そして、その後、通信量が多い車両種別の車両１１から割当て要求が送信されたときに、必要となる通信量の仮想ＳＩＭカードを割り当てることができない場合がある。この点、上記構成によれば、例えば通信量が少ない車両種別の車両１１には未使用データ通信量が最大である仮想ＳＩＭカードを割り当てないことで、通信量が多い車両種別の車両１１に対して必要となる通信量の仮想ＳＩＭカードを割り当てることが可能になる。よって、より好適に仮想ＳＩＭカードを割り当てることができる。
【００８３】
また、ＳＩＭ管理装置１７は、例えば、第１の要求元車両１１と第２の要求元車両１１とから割当て要求を受信する場合において、第１の要求元車両１１よりも後に割当て要求を受信した第２の要求元車両１１の方が、通信に要するデータ通信量が多いと判定したときには、第１の要求元車両１１に割り当てる仮想ＳＩＭカードよりも未使用データ通信量が多い仮想ＳＩＭカードを第２の要求元車両１１に割り当ててもよい。
【００８４】
（２）予測使用時間の算出の仕方は上記実施形態のものに限られない。例えば、ＳＩＭ管理装置１７は、車両１１の使用時間を曜日ごとに平均し、その平均値を所定のしきい値と比較する。そして、平均値が上記しきい値以上である場合には、その平均値を予測使用時間に設定し、平均値が上記しきい値よりも小さい場合には、その平均値を予測使用時間に設定しない。換言すれば、ＳＩＭ管理装置１７は、所定のしきい値以上である平均値に基づき、予測使用時間を算出してもよい。なお、上記しきい値は、予定外の車両１１の使用により生じた平均の使用時間が除外されるように設定されてもよい。
【００８５】
（３）ＳＩＭ管理装置１７は、例えば、予測使用時間を算出せずに仮想ＳＩＭカードを割り当ててもよい。この場合において、ＳＩＭ管理装置１７は、車両１１からの割当て要求があったときに、未使用データ通信量が最大である仮想ＳＩＭカードを無条件で要求元車両１１に割り当ててもよい。
【００８６】
（４）上記実施形態では、車両１１から送信される通信情報は、当該車両１１が行おうとしている通信のデータ通信量を表すが、通信情報はこれに限られるものではない。例えば、通信情報は、データ通信量に代えて又は加えて、当該車両１１が行おうとしている通信の通信速度を表してもよい。具体的には、次のような状況が考えられる。すなわち、複数の仮想ＳＩＭカードに応じて通信速度が異なる場合を考える。そして、バックエンドサーバ１９は、車両１１からイベント検出情報を受信すると、車両１１がそれまで行っていた通信の通信速度よりも高い通信速度で詳細情報を当該バックエンドサーバ１９に送信することを要求する。そして、車両１１が、当該車両１１が行おうとしている通信の通信速度を表す通信情報をＳＩＭ管理装置１７に送信し、イグニッションスイッチがオンにされた際に割り当てられる仮想ＳＩＭカードよりも通信速度が高い仮想ＳＩＭカードが車両１１に割り当てられる。
【００８７】
（５）上記実施形態で、ＳＩＭ管理装置１７が実行する機能の一部又は全部を、１つあるいは複数のＩＣ等によりハードウェア的に構成してもよい。
（６）前述したＳＩＭ管理装置１７の他、当該ＳＩＭ管理装置１７を構成要素とするシステム、当該ＳＩＭ管理装置１７としてコンピュータを機能させるためのプログラム、このプログラムを記憶した半導体メモリ等の非遷移的実体的記憶媒体、複数の仮想ＳＩＭカードを複数の通信端末に割り当てる方法など、種々の形態で本開示を実現することもできる。
【００８８】
（７）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【符号の説明】
【００８９】
１…ＳＩＭ管理システム、１１…車両、１２…ＳＩＭ管理サーバ、１３…登録車両ＤＢ、１４…使用履歴ＤＢ、１５…使用予測ＤＢ、１６…使用状況ＤＢ、１７…ＳＩＭ管理装置、１９…バックエンドサーバ。
【図１】
2018078411.tif 000003
【図２】
2018078411.tif 000004
【図３】
2018078411.tif 000005
【図４】
2018078411.tif 000006
【図５】
2018078411.tif 000007
【図６】
2018078411.tif 000008
【図７】
2018078411.tif 000009
【図８】
2018078411.tif 000010
【図９】
2018078411.tif 000011
【図１０】
2018078411.tif 000012
【図１１】
2018078411.tif 000013
【図１２】
2018078411.tif 000014
【図１３】
2018078411.tif 000015